【手続補正書】
【提出日】平成20年7月11日(2008.7.11)
【手続補正１】
【補正対象書類名】明細書
【補正対象項目名】特許請求の範囲
【補正方法】変更
【補正の内容】
【特許請求の範囲】
【請求項１】２線式ループに結合されるべく適合された工業用プロセス制御送信機において、
センサと、
２線式ループから付勢されて第１の電圧レベルを提供する第１の電力レール、
および前記センサに結合されると共に第１の電圧レベルによって電力供給されるアナログ測定回路であって、センサ検出回路およびアナログ／デジタル変換器のアナログ部分を含み、感知されたパラメータを表す第１の補償されたアナログ信号を導出するアナログ測定回路を収容する第１の集積回路チップと、
アナログ／デジタル変換器のデジタル部分を含み、該アナログ／デジタル変換器のデジタル部分が第２の補償されたアナログ信号に応答するデジタル系回路、および２線式ループから付勢されて前記第１のレベルより低い第２の電圧レベルを提供する第２の電力レールであって、少なくとも前記デジタル系回路の一部分に電力供給する第２の電力レールを収容する、第１の集積回路チップから分離した第２の集積回路チップと、
前記第１の補償されたアナログ信号を前記第２の電圧レベルにシフトして第２の補償されたアナログ信号を導出するレベルシフト回路とを備えた工業用プロセス制御送信機。
【請求項２】前記第２の集積回路チップ上のデジタル系回路が、デジタル表示を表す信号を送信するためのモデムを含む請求項１記載の送信機。
【請求項３】送信機が４−２０ｍＡ級のものであり、
前記アナログ測定回路およびデジタル系回路が一緒になって、前記ループから１８ｍＷ超、かつ３ｍＡ超を引き出さず、前記送信機が、
二つ分のダイオードの電位差を越えない第２の電圧レベルで第２の電力レールを付勢し、かつ前記アナログ測定回路で消費される電力が（１８ｍＷ）マイナス（第１の集積回路で消費される電力）超でなく、前記アナログ測定回路によって引き出される電流が（３ｍＡ）マイナス（前記デジタル系回路によって引き出される電流）超でないように、第１の電圧レベルで第１の電力レールを付勢する直流／直流変換器を含む請求項１記載の送信機。
【請求項４】前記第２の集積回路チップ上のデジタル系回路が、デジタル表示を表す信号を送信するためのモデムを含む請求項３記載の送信機。
【請求項５】前記第１および第２の集積回路チップに接続され、前記２線式ループで付勢されてコモン電圧レベルを提供するコモン電力レールを含み、前記第２の集積回路チップが、
前記デジタル系回路の各部分をそれぞれ形成する第１および第２のダイと、
前記第１および第２のダイを積み重ねる複合チップモジュールと、
前記第１のダイに結合されて該第１のダイ上のデジタル系回路の部分に第１の電圧レベルを提供する前記第１の電力レールと、
前記第２のダイに結合されて該第２のダイ上のデジタル系回路の部分にコモン電圧レベルを提供する前記コモン電力レールと、
前記第１および第２のダイに結合されたインタフェースであって、前記第１および第２のダイ上のデジタル系回路の部分に第２の電圧レベルを提供する前記第２の電力レールを含み、該第２の電圧レベルが第１の電圧レベルとコモン電圧レベルとの間にあるインタフェースとを含み、
それによって、前記第１のダイ上のデジタル回路の部分が前記第１の電圧レベルと第２の電圧レベルとの電圧差によって電力供給され、前記第２のダイ上のデジタル回路の部分が前記第２の電圧レベルとコモン電圧レベルとの電圧差によって電力供給される請求項１記載の送信機。
【請求項６】前記二つのダイの一方の上にあって前記デジタル表示を表す信号を送信するモデムを含む請求項５記載の送信機。
【請求項７】前記第１のダイと第２のダイとの間でデータ信号のレベルをシフトさせるための第２のレベルシフト回路を含む請求項６記載の送信機。
【請求項８】前記第１のダイと第２のダイとの間でデータ信号のレベルをシフトさせるための第２のレベルシフト回路を含む請求項５記載の送信機。
【請求項９】送信機が４−２０ｍＡ級のものであり、
前記アナログ測定回路およびデジタル系回路が一緒になって、前記ループから１８ｍＷ超、かつ３ｍＡ超を引き出さず、前記送信機が、
前記第１のチップ上にあって、かつアナログ測定回路で消費される電力が（１８ｍＷ）マイナス（前記デジタル系回路で消費される電力）超でなく、前記アナログ測定回路によって引き出される電流が（３ｍＡ）マイナス（前記第１および第２のダイによって引き出される電流）超でないように、前記第１の電圧レベルよりダイオード二つ分の電位降下分だけ下方のレベルを越えない前記第２の電圧レベルで前記第２の電力レールを付勢するために前記第１および第２の電力レールに接続された直流／直流変換器を含む請求項５記載の送信機。
【請求項１０】前記二つのダイの一方の上にあって前記デジタル表示を表す信号を送信するためのモデムを含む請求項９記載の送信機。
【請求項１１】前記第１のダイと第２のダイとの間でデータ信号の電圧レベルをシフトさせるための第２のレベルシフト回路を含む請求項１０記載の送信機。
【請求項１２】前記第１のダイと第２のダイとの間でデータ信号の電圧レベルをシフトさせるための第２のレベルシフト回路を含む請求項９記載の送信機。
【請求項１３】２線式ループに結合されるべく適合された工業用プロセス制御送信機において、
センサと、
前記センサに接続されたアナログ測定回路を備え、該アナログ測定回路がセンサ検出回路およびアナログ／デジタル変換器のアナログ部分を含み、感知されたパラメータの値を表す第１の補償されたアナログ信号を導出する第１のチップ上の第１の集積回路と、
第２の補償されたアナログ信号に応答するアナログ／デジタル変換器のデジタル部分を少なくとも含む第１のダイ、感知されたパラメータを表す信号を送信するためにアナログ／デジタル変換器のデジタル部分に応答するモデムを少なくとも含む第２のダイ、前記第１および第２のダイを積み重ねる複合チップモジュール、および前記第１および第２のダイ間のインタフェース電力レールからなる第２の集積回路と、
２線式ループによって付勢されて前記第１のダイおよび第１の集積回路に第１の電圧レベルを提供する第１の電力レールと、
２線式ループによって付勢されて前記第２のダイおよび第１の集積回路にコモン電圧レベルを提供する第２の電力レールと、
第１の補償されたアナログ信号をシフトして第２の補償されたアナログ信号を導出する第１のレベルシフト回路と、
前記第１のダイと第２のダイとの間のデータ信号の電圧レベルをシフトさせるための第２のレベルシフト回路とを備えた送信機。
【請求項１４】前記インタフェース電力レールが、前記第１の電圧レベルとコモン電圧レベルとの間の第２の電圧レベルを提供し、これよって、前記第１のダイは記第１の電圧レベルと第２の電圧レベルとの間の電圧差によって電力供給され、前記第２のダイは前記第２の電圧レベルとコモン電圧レベルとの間の電圧差によって電力供給される請求項１３記載の送信機。
【請求項１５】前記送信機が４−２０ｍＡ級のものであり、前記アナログ測定回路およびデジタル系回路が一緒になって、前記ループから１８ｍＷ超、かつ３ｍＡ超を引き出さない請求項１４記載の送信機。
【請求項１６】前記送信機が４−２０ｍＡ級のものであり、前記アナログ測定回路およびデジタル系回路が一緒になって、前記ループから１８ｍＷ超、かつ３ｍＡ超を引き出さない請求項１３記載の送信機。
【請求項１７】前記レベルシフト回路が前記第１のチップ上にある請求項１記載の送信機。